(57)【特許請求の範囲】
【請求項１】
先端に観察孔（２）が形成された観察ヘッド（３）に、前記観察孔（２）を通して入射された被観察物（４）の像を結像光学系（５）により所定倍率に拡大して撮像する撮像素子（６）が配されると共に、被観察物（４）に照明光を照射する照明系（７）が配設された拡大撮像装置において、
前記結像光学系（５）を構成するレンズ（８）の一部又は全部を、光軸（Ｘ）方向に沿って低倍率撮像位置（ＰＬ）から高倍率撮像位置（ＰＨ）まで移動させることにより倍率を変化させる倍率切換手段（１１）を備えると共に、
前記照明系（７）が、低倍率撮像時の撮像エリア（ＡＬ）を照らす低倍率撮像照明（２０Ｌ）と、高倍率撮像時の撮像エリア（ＡＨ）を前記低倍率撮像照明（２０Ｌ）より高照度で照らす高倍率撮像照明（２０Ｈ）を備え、前記結像光学系（５）に連動して、光学系（５）が低倍率撮像位置（ＰＬ）にあるときに前記低倍率撮像照明（２０Ｌ）を点灯させ、光学系（５）が高倍率撮像位置（ＰＨ）にあるときに前記高倍率撮像照明（２０Ｈ）を点灯させる照明切換手段（２１）を備えたことを特徴とする拡大撮像装置。
【請求項２】
前記照明系（７）が、多数の高輝度ＬＥＤを結像光学系（５）の光軸（Ｘ）の回りに環状に配列されてなり、高倍率撮像照明（２０Ｈ）は低倍率撮像照明（２０Ｌ）に比して、ＬＥＤの数が多く、且つ、照射エリアが狭く形成されてなる請求項１記載の拡大撮像装置。
【請求項３】
前記観察ヘッド（３）に、その観察孔（２）より小さく、高倍率撮像時の撮像エリア（ＡＨ）より大きい透孔（１８）を形成したキャップ（１９）が着脱自在に装着されてなる請求項１又は２記載の拡大撮像装置。
【発明の詳細な説明】
【０００１】
【発明の属する技術分野】
本発明は、被観察物の表面を拡大して観察するため拡大撮像装置に関し、特に、化粧品を販売する美容部員が、顧客の肌や頭皮の状態に応じて最適の化粧品やシャンプーリンスなどを決定する場合などに、その顧客の皮膚や頭皮等を拡大して観察するのに適している。
【０００２】
【従来の技術】
化粧は、肌に直接化粧品を塗ることにより、肌を白く見せたり、荒れた肌を滑らかに見せたりするために行うものであるから、各化粧品メーカとも肌質に応じて多くの種類の化粧品を販売している。
したがって、消費者にとっては、多種類の中から自分の肌質に適合する化粧品を選ぶことができる一方で、自分の肌質を知らないために真に適した化粧品を選択できないことが多い。
【０００３】
このことは、化粧品を販売している美容部員も同様であり、顧客の肌質を正確に知ることができれば、その肌質に適した化粧品や肌の手入れ法をアドバイスすることができるが、現実には，自分の培ってきた経験と勘で顧客の肌質に適合するであろう化粧品をアドバイスしているのが実情である。
このため、最近では化粧品の販売促進用に様々な診断機器を導入し、顧客の肌質に最適の化粧品を提供できるよう各社ともしのぎを削っている。
【０００４】
【発明が解決しようとする課題】
肌観察用の拡大撮像装置もそのような診断機器の一つとして用いられているが、その観察対象によって拡大倍率を変えて観察したいとの要望がある。
例えば、縦横斜めに走る細かい綾によって形成される肌理（キメ）の細かさを観察する場合は、直径１〜２ｃｍの範囲を比較的低撮像倍率で撮像するのが好ましく、一方で、その肌理（キメ）の一つ一つを観察する場合は、直径１〜２ｍｍの極めて限定されたエリアを高撮像倍率で撮像することが好ましい。
【０００５】
そして、２０倍程度の倍率のレンズを用いると直径１〜２ｃｍの範囲を撮像でき、２００倍程度のレンズを用いると直径１〜２ｍｍの範囲を撮像できる。
このため、倍率の異なる２台の撮像装置を使用しているが、販売カウンターに２台もの撮像装置を置くとカウンターが散らかって手狭になるため、倍率の異なるレンズに交換可能な撮像装置が提案された。
【０００６】
しかし、倍率を変えるたびごとにレンズを交換しなければならないのでその交換作業が面倒であるという問題があるだけでなく、２０倍と２００倍では必要な光量が異なるため、レンズを交換するたびに照明光の強度を切り換えるスイッチ操作を行わなければならないという問題があった。
【０００７】
そこで本発明は、倍率を変えるたびごとにレンズ交換作業を行う面倒がなく、また、倍率を変えるたびごとに照明光の強度を切り換えるスイッチ操作を行う面倒のない拡大撮像装置を提供することを技術的課題としている。
【０００８】
【課題を解決するための手段】
この課題を解決するために、本発明は、先端に観察孔が形成された観察ヘッド内に、観察孔を通して入射された被観察物の像を結像光学系により所定倍率に拡大して撮像する撮像素子が配されると共に、被観察物に照明光を照射する照明系が配設された拡大撮像装置において、前記結像光学系を構成するレンズの一部又は全部を、光軸方向に沿って低倍率撮像位置から高倍率撮像位置まで移動させることにより倍率を変化させる倍率切換手段を備えると共に、前記照明系が、低倍率撮像時の撮像エリアを照らす低倍率撮像照明と、高倍率撮像時の撮像エリアを前記低倍率撮像照明より高照度で照らす高倍率撮像照明を備え、前記結像光学系に連動して、光学系が低倍率撮像位置にあるときに前記低倍率撮像照明を点灯させ、光学系が高倍率撮像位置にあるときに前記高倍率撮像照明を点灯させる照明切換手段を備えたことを特徴とする。
【０００９】
本発明によれば、低倍率撮像照明と高倍率撮像照明が結像光学系に連動して照明切換されるので、倍率切換手段を操作して結像光学系を構成するレンズの一部又は全部を光軸方向に沿って移動させることにより倍率を変化させると、何らのスイッチ操作を行うことなく、低倍率撮像位置に移動されたときは低倍率撮像照明が点灯し、高倍率撮像位置に移動されたときは低倍率撮像照明より高照度の高倍率撮像照明が点灯する。
【００１０】
【発明の実施の形態】
以下、本発明の実施の形態を図面に基づいて具体的に説明する。
図１は本発明に係る拡大撮像装置の基本構成図、図２はその外観図、図３はその要部を示す説明図、図４は照明系の配置図、図５は照明光の照射範囲を示す説明図である。
【００１１】
本発明に係る拡大撮像装置１は、先端に直径１５ｍｍ程度の観察孔２が形成された観察ヘッド３に、観察孔２を通して入射された皮膚などの被観察物４の像を結像光学系５により所定倍率に拡大して撮像する撮像素子６が配されると共に、被観察物４に照明光を照射する照明系７が配設されている。
【００１２】
結像光学系５は、低倍率（例えば２０倍）と高倍率（例えば２００倍）の２つの拡大倍率で使用可能な２焦点レンズ８がレンズホルダ９に保持されて、撮像素子６を支持するベース１０に、倍率切換手段１１と共に取り付けられている。
【００１３】
倍率切換手段１１は、レンズホルダ９の周面に形成された従動ピン１２が、ガイドパイプ１３に形成された直線スリット１４と、円筒カム１５に形成された螺旋溝１６に係合されて成り、ガイドパイプ１３がベース１０に固定されると共に、円筒カム１５が回転可能に配されている。
【００１４】
そして、円筒カム１５に一体に形成されたレバー１７を回転させると、直線スリット１４と螺旋溝１６の交点が前後に移動するので、これらに係合された従動ピン１２を介して、レンズホルダ９がガイドパイプ１３内を移動し、レンズ８が低倍率撮像位置ＰＬと高倍率撮像位置ＰＨに位置決めされて、倍率が切換えられる。
【００１５】
また、倍率切換手段１１により高倍率に切り換えたときに、ピントがずれないように、前記観察ヘッド３に、その観察孔２より小さく、高倍率撮像時の撮像エリアより大きい透孔１８を形成したキャップ１９が着脱自在に装着されている。
【００１６】
すなわち、観察孔２の直径が１５ｍｍと比較的大きいことから、これを皮膚に押し当てたときに、皮膚がその弾力で観察孔２内に盛り上がり、被写界深度の深い低倍率で撮像するときはまだしも、被写界深度の浅い高倍率で撮像するときは、その皮膚の盛り上がり方次第でピントが合ったりずれたりする。
【００１７】
そこで高倍率撮像時には、直径が小さい透孔１８を形成したキャップ１９を観察ヘッド３に装着することにより、皮膚の盛り上がりを抑えている。なお、キャップ１９の有無により、観察ヘッド３を皮膚に押し当てたときの盛り上がり量が異なるため、低倍率撮像時と高倍率撮像時で確実にピントが合うように、結象光学系５を移動させたときの焦点位置ＦＬ、ＦＨが、皮膚の盛り上り量を想定して僅かにずらして設定してある。
【００１８】
また、照明系７は、低倍率撮像時の撮像エリアＡＬを照らす低倍率撮像照明２０Ｌと、高倍率撮像時の撮像エリアＡＨを前記低倍率撮像照明２０Ｌより高照度で照らす高倍率撮像照明２０Ｈを備えている。
この照明系７は、多数の高輝度白色ＬＥＤを結像光学系５の光軸Ｘの回りに環状に配列して成り、中心角３０°間隔で配された高倍率撮像照明２０Ｈとなる１２個のＬＥＤと、その間に中心角６０°間隔で配された低倍率撮像照明２０Ｌとなる６個のＬＥＤとからなる。
【００１９】
そして、低倍率撮像照明２０Ｌは、照射角度の広いＬＥＤが用いられ、その照射光軸が観察孔２の中心に向けて斜めに配され、観察孔２内を万遍なく照射できるようになっている。
また、高倍率撮像照明２０Ｈは、照射角度の狭いＬＥＤが用いられ、その照射光が撮像ヘッド３内に配されたミラーＭに反射されて、観察ヘッド３に装着されるキャップ１９に形成された透孔１８内にスポット的に照明されるようになっている。
【００２０】
このように、高倍率撮像照明２０ＨのＬＥＤの数が低倍率撮像照明２０ＬのＬＥＤよりも多く配列され、且つ、高倍率撮像照明２０Ｈは集光されて照射面積が低倍率撮像照明２０Ｌの照射面積に比して狭くなっているので、高倍率撮像照明２０Ｈは高照度で照明でき、十分に明るい画像が得られる。
【００２１】
これら各照明２０Ｌ、２０Ｈは、結像光学系５に連動した照明切換手段２１により自動的に切り換えられ、撮像光学系５が低倍率撮像位置ＰＬにあるときに低倍率撮像照明２０Ｌが点灯され、撮像光学系５が高倍率撮像位置ＰＨにあるときに高倍率撮像照明２０Ｈを点灯させる。
【００２２】
この照明切換手段２１は、円筒カム１５の外周面に形成された検出用凹部２２と、撮像光学系５が移動されて高倍率撮像位置ＰＨに到来したときに検出用凹部２２を検出するマイクロスイッチ２３からなる。
マイクロスイッチ２３は、撮像光学系５が高倍率撮像位置ＰＨにない限り、消費電力の少ない低倍率撮像照明２０Ｌを点灯する回路を導通させ、撮像光学系５が高倍率撮像位置ＰＨにあるときのみ高倍率撮像照明２０Ｈを点灯する回路を導通させる。
これにより、メインスイッチＳをＯＮした状態で、撮像光学系５を高倍率撮像位置ＰＨと低倍率撮像位置ＰＬ間で移動させたときに、低倍率撮像照明２０Ｌと高倍率撮像照明２０Ｈが点灯される。
【００２３】
さらに、図示は省略するが、撮像装置１には撮像素子６のドライバが内蔵され、画像信号をコンピュータなどに有線又は無線で送信し、その画像をコンピュータのディスプレイに表示させるようになっている。
【００２４】
以上が本発明の一構成例であって、次にその作用を説明する。
まず、拡大撮像装置１をコンピュータ（図示せず）に接続し、撮像装置１のメインスイッチＳをＯＮした後、低倍率で撮像するときは、観察ヘッド３に装着されたキャップ１９を外し、倍率切換手段１１のレバー１７を操作して、結象光学系５を低倍率撮像位置ＰＬへ移動させる。
【００２５】
このとき、結象光学系５に連動して照明切換手段２１により低倍率撮像照明２０Ｌが自動的に選択されて点灯される。
すなわち、円筒カム１５に形成された検出用凹部２２はマイクロスイッチ２３で検出される位置にないので、低倍率撮像照明２０Ｌを点灯する回路が導通されて高倍率撮像照明２０Ｈを点灯する回路が遮断され、したがって低倍率撮像照明２０Ｌの高輝度白色ＬＥＤのみが点灯される。
【００２６】
この状態で、皮膚の任意の部位に観察ヘッド３を押し当てれば、観察孔２から取り込まれた画像が低倍率でコンピュータディスプレイに映し出され、しかも、照明光は観察孔２内全体に万遍なく照射されているので、撮像エリアＡＬ全体にわたって明るい画像が得られる。
【００２７】
次いで、高倍率で撮像するときは、観察ヘッド３にキャップ１９を装着し、倍率切換手段１１のレバー１７を操作して、結象光学系５を高倍率撮像位置ＰＨへ移動させる。
【００２８】
このとき、結象光学系５に連動して照明切換手段２１により低倍率撮像照明２０Ｌから高倍率撮像照明２０Ｈに自動的に切り換わる。
すなわち、円筒カム１５の回転に伴い結象光学系５が高倍率撮像位置ＰＨへ移動したときに、前記円筒カム１５の周面に形成された検出用凹部２２がマイクロスイッチ２３で検出される位置に到来し、低倍率撮像照明２０Ｌを点灯する回路が遮断されて高倍率撮像照明２０Ｈを点灯する回路が導通され、したがって、低倍率撮像照明２０Ｌが消灯されて高倍率撮像照明２０Ｈの高輝度白色ＬＥＤのみが点灯される。
【００２９】
この状態で、皮膚の任意の部位に観察ヘッド３を押し当てれば、透孔１８から取り込まれた画像が高倍率でコンピュータディスプレイに映し出され、しかも、照明光は透孔１８内にスポット的に照明されているので、２００倍程度の高倍率でもその撮像エリアＡＨを明るく撮像することができる。
【００３０】
【発明の効果】
以上述べたように、本発明によれば、倍率切換手段により結象光学系を移動させて撮像倍率を切り換えることができるので、倍率を変えるたびごとにレンズを交換する面倒がないだけでなく、結象光学系に連動して、低照度光を比較的広範囲の低倍率撮像エリアに照射させる低倍率撮像照明と、高照度光を狭い範囲の高倍率撮像エリアに照射させる高倍率撮像照明とを自動的に切り換えることができるので、倍率を変えるたびごとに照明を切り換える面倒がないという大変優れた効果を奏する。
【図面の簡単な説明】
【図１】本発明に係る拡大撮像装置の基本構成図。
【図２】その外観図。
【図３】その要部を示す説明図。
【図４】照明系の配置図。
【図５】照明光の照射範囲を示す説明図。
【符号の説明】
１……拡大撮像装置        ２……観察孔
３……観察ヘッド          ４……被観察物
５……結像光学系          ６……撮像素子
７……照明系              ８……レンズ
１１……倍率切換手段
ＰＬ  ……低倍率撮像位置    ＰＨ……高倍率撮像位置
１８……透孔              １９……キャップ
ＡＬ、ＡＨ……撮像エリア
２０Ｌ……低倍率撮像照明  ２０Ｈ……高倍率撮像照明
２１………照明切換手段
【図１】
0003626415.tif 000002
【図２】
0003626415.tif 000003
【図３】
0003626415.tif 000004
【図４】
0003626415.tif 000005
【図５】
0003626415.tif 000006